(57)【特許請求の範囲】
【請求項１】
矩形状の底壁及び、この底壁の４つの縁から立設される周壁を備え、上方に開口を有する箱本体と、前記周壁の上縁に延設されて前記開口を覆う蓋体と、を備え、
前記周壁が、対向する一対の第１、第３側壁と、対向する一対の第２、第４側壁と、を備え、
前記蓋体が、前記開口を露出する露出位置と、前記各第１、第３側壁の上縁に延設され当該上縁で折り曲げられて前記開口を覆う覆蓋位置とに、変位可能に設けられた一対の覆蓋壁と、前記各第２、第４側壁の上縁に延設され、前記一対の覆蓋壁を前記覆蓋位置で保持する一対の保持片と、を備え、
前記一対の覆蓋壁の各々及び前記一対の保持片の各々が、それぞれ矩形状で、前記露出位置において、交互に環状と成るように連なって設けられ、
前記各覆蓋壁と前記各保持片との境界縁の延在方向の寸法が、前記各保持片と前記各第２、第４側壁との境界に当たる第２、第４境界部の両端部からその中点までの寸法と略等しくなるように形成され、
前記境界縁が、前記各覆蓋壁が前記覆蓋位置に位置した状態で、前記各第２、第４境界部に重ねられ、かつ、前記各保持片が、前記各第２、第４側壁の表面に重ねられ、
前記各覆蓋壁には、前記各第１、第３側壁との境界に当たる第１、第３境界部の両端部から略等しい角度を有して傾斜する一対の斜辺が、前記各覆蓋壁の延設方向縁端まで形成され、
前記各覆蓋壁が、前記覆蓋位置に位置した状態で、前記一対の斜辺が稜線となる山型に形成されていることを特徴とする包装用箱。
【請求項２】
前記一対の覆蓋壁のうちいずれか一方、又は、両方が、当該覆蓋壁の延設方向縁端に取り付けられる提手壁を備えていることを特徴とする請求項１記載の包装用箱。
【請求項３】
矩形状の底壁及び、この底壁の４つの縁から立設される周壁を備え、上方に開口を有する箱本体と、前記周壁の上縁に延設されて前記開口を覆う蓋体と、を備え、
前記蓋体が、対向する一対の前記周壁の上縁に延設され、当該上縁で折り曲げられた覆蓋位置で前記開口を覆う一対の覆蓋壁と、前記一対の周壁以外で対向する一対の周壁の上縁に延設され、前記一対の覆蓋壁を前記覆蓋位置で保持する一対の保持片と、を備えた包装用箱を作製するための展開体であって、
シートが所定位置を折り目として折り畳まれて、前記周壁を構成する周板と、前記周板の下縁に連続形成されて前記底壁を構成する底板と、前記周板の上縁に連続形成されて前記蓋体を構成する覆い板と、が形成された包装用箱の展開体において、
前記シートが、その表面が前記包装用箱の外面を、その裏面が前記包装用箱の内面をそれぞれ構成し、
前記周板が、それぞれ矩形状で、順に環状となるように連なって設けられた４つの側板を備え、
前記４つの側板のうち１に当たる第１側板とそれに連なる第４側板との境界位置を折り目として、前記第１側板と前記第４側板の裏面同士が重なるように折られ、
前記第１側板に連なる第２側板とそれに連なる第３側板との境界位置を折り目として、前記第２側板と前記第３側板の裏面同士が重なるように折られ、
前記覆い板が、前記一対の覆蓋壁を構成する一対の覆蓋板と、前記一対の保持片を構成する一対の折込板と、を備え、
前記一対の覆蓋板が、前記第１側板及び前記第３側板それぞれに連続形成され、
前記一対の折込板が、前記第２側板及び前記第４側板並びに隣り合う前記一対の覆蓋板それぞれに連続形成され、
前記第１側板及び前記第２側板と、これらに連続形成された前記覆蓋板及び前記折込板、が同一平面上に設けられ、
前記第３側板及び前記第４側板と、これらに連続形成された前記覆蓋板及び前記折込板、が同一平面上に設けられ、
前記各折込板には、前記周板との境界に当たる第２、第４境界部の両端部から、略等しい角度を有して上方に向かって傾斜する一対の二等辺部が形成され、
前記各折込板が、前記第２、第４境界部及び前記二等辺部それぞれを折り目とし、前記各覆蓋板と前記各折込板との境界縁を折り目として、当該境界縁が、前記第２、第４境界部に重なるように折られ、前記第２、第４境界部と前記一対の二等辺部とで囲まれた部分が、前記周板の表面に重なるように折られるように構成され、
前記各覆蓋板には、前記周板との境界に当たる第１、第３境界部の両端部から、略等しい角度を有して上方に向かって傾斜する一対の斜辺が形成され、
前記各覆蓋板が、前記各斜辺を折り目として山折りに折られるように構成されていることを特徴とする包装用箱の展開体。
【請求項４】
前記一対の覆蓋板のうちいずれか一方、又は、両方が、当該覆蓋板の延設方向縁端に延設され、当該縁端で折り曲げられる提手板を備え、
前記提手板が延設された前記覆蓋板において、前記一対の斜辺の上端が、当該覆蓋板と前記提手板との連結部分における両端部に到ることを特徴とする請求項３記載の包装用箱の展開体。
【請求項５】
前記一対の覆蓋板のうち、少なくともいずれか一方には、面方向に延出形成された延出部が、前記各斜辺と前記境界縁との間に設けられていることを特徴とする請求項３又は請求項４記載の包装用箱の展開体。
【発明の詳細な説明】
【技術分野】
【０００１】
本発明は、包装用箱、及び、包装用箱の展開体に関する。
【背景技術】
【０００２】
図５に示された包装用箱２０１は、特許文献１に開示されたものである。包装用箱２０１は、有底筒状の箱本体２０２と、この箱本体２０２の上方の開口を覆う蓋体２０３と、を備えている。
【０００３】
箱本体２０２は、図５に示すように、矩形状の底板２０４と、この底板２０４の周縁から立設される４つの側板２０５と、を備えている。蓋体２０３は、一対の折畳板２６１と、一対の折畳板２６１間に連続形成される一対の回動板２６２と、を備えている。一対の折畳板２６１は、対向配置された一対の側板２０５の上縁ａに連続形成され、一対の回動板２６２は、対向配置された残りの一対の側板２０５の上縁ｇに連続形成されている。一対の回動板２６２は、開口を覆う覆蓋位置と、開口を露出する露出位置とに、一対の側板２０５の各上縁ｇを軸として、回動可能に構成されている。
【０００４】
ここで、包装用箱２０１は、１枚のシートが所定位置を折り目として折り畳まれて、全体として厚みの少ない板状に形成された折り畳んだ状態の包装用箱の展開体が、折り起こされて構成されたものである。
【０００５】
一対の折畳板２６１は、該折畳板２６１と側板２０５との境界の縁（側板２０５の上縁と同一の位置であり、以下、境界縁ａと記す場合もある）を底辺とし、折畳板２６１の上縁の中点を頂部ｂとする直角二等辺三角形の二等辺をなす一対の斜折線ｃ、ｄとして、底辺ａと一対の斜折線ｃ、ｄとで囲まれた三角形状に構成された折込板２６３と、一対の斜折線ｃ、ｄと各折畳板２６１の各側縁ｅとで囲まれた三角形状に構成された一対の重ね板２６４と、を備えている。折込板２６３は、境界縁ａを折り目として谷折りに、一対の斜折線ｃ、ｄを折り目として山折りに折られて形成されたものであり、側板２０５に重ねて配置されている。また、折込板２６３が側板２０５の外面に重ねられた状態で、一対の重ね板２６４が、折込板２６３の側板２０５とは反対側の面に重ねられて配置されている。一対の回動板２６２は、それぞれ、一対の折畳板２６１間において、各一対の重ね板２６４に連続されている。
【０００６】
このような包装用箱２０１は、蓋体２０３が露出位置から覆蓋位置に回動される際に、折込板２６３が、境界縁ａを折り目として折られて側板２０５の表面に重ねられ、一対の重ね板２６４が、一対の斜折線ｃ、ｄを折り目として折られて折込板２６３に重ねられる。この際、一対の回動板２６２が、一対の重ね板２６４を介して折込板２６３に引っ張られて、覆蓋位置に到達される。この後、折込板２６３において一対の斜折線ｃ、ｄから構成された頂部ｂが、側板２０５に形成されたＹ字型の切込み２６５に挿入係止される。こうして、一対の回動板２６２（蓋体２０３）が覆蓋位置にて保持される。
【０００７】
しかしながら、従来の包装用箱２０１においては、蓋体２０３を覆蓋位置にて保持させるために、側板２０５に形成されたＹ字型の切込み２６５に挿入係止しなければならず、手間がかかる。つまり、従来の包装用箱２０１は、組み立て作業性が悪かった。
【先行技術文献】
【特許文献】
【０００８】
【特許文献１】実開昭５６−１７５３３１号公報
【発明の概要】
【発明が解決しようとする課題】
【０００９】
本発明は、以上の背景に鑑みてなされたものであり、組立作業性の向上を図りつつ、組立状態において、蓋体を覆蓋位置にて確実に保持させることができる包装用箱、及び、この包装箱を作製するための展開体を提供することを目的とする。
【課題を解決するための手段】
【００１０】
上記目的は、以下の本発明によって解決される。
即ち、請求項１記載の本発明は、矩形状の底壁及び、この底壁の４つの縁から立設される周壁を備え、上方に開口を有する箱本体と、前記周壁の上縁に延設されて前記開口を覆う蓋体と、を備え、
前記周壁が、対向する一対の第１、第３側壁と、対向する一対の第２、第４側壁と、を備え、
前記蓋体が、前記開口を露出する露出位置と、前記各第１、第３側壁の上縁に延設され当該上縁で折り曲げられて前記開口を覆う覆蓋位置とに、変位可能に設けられた一対の覆蓋壁と、前記各第２、第４側壁の上縁に延設され、前記一対の覆蓋壁を前記覆蓋位置で保持する一対の保持片と、を備え、
前記一対の覆蓋壁の各々及び前記一対の保持片の各々が、それぞれ矩形状で、前記露出位置において、交互に環状と成るように連なって設けられ、
前記各覆蓋壁と前記各保持片との境界縁の延在方向の寸法が、前記各保持片と前記各第２、第４側壁との境界に当たる第２、第４境界部の両端部からその中点までの寸法と略等しくなるように形成され、
前記境界縁が、前記各覆蓋壁が前記覆蓋位置に位置した状態で、前記各第２、第４境界部に重ねられ、かつ、前記各保持片が、前記各第２、第４側壁の表面に重ねられ、
前記各覆蓋壁には、前記各第１、第３側壁との境界に当たる第１、第３境界部の両端部から略等しい角度を有して傾斜する一対の斜辺が、前記各覆蓋壁の延設方向縁端まで形成され、
前記各覆蓋壁が、前記覆蓋位置に位置した状態で、前記一対の斜辺が稜線となる山型に形成されていることを特徴とする包装用箱である。
【００１１】
請求項２記載の本発明は、請求項１記載の本発明において、前記一対の覆蓋壁のうちいずれか一方、又は、両方が、当該覆蓋壁の延設方向縁端に取り付けられる提手壁を備えていることを特徴とする。
【００１２】
請求項３記載の本発明は、矩形状の底壁及び、この底壁の４つの縁から立設される周壁を備え、上方に開口を有する箱本体と、前記周壁の上縁に延設されて前記開口を覆う蓋体と、を備え、
前記蓋体が、対向する一対の前記周壁の上縁に延設され、当該上縁で折り曲げられた覆蓋位置で前記開口を覆う一対の覆蓋壁と、前記一対の周壁以外で対向する一対の周壁の上縁に延設され、前記一対の覆蓋壁を前記覆蓋位置で保持する一対の保持片と、を備えた包装用箱を作製するための展開体であって、
シートが所定位置を折り目として折り畳まれて、前記周壁を構成する周板と、前記周板の下縁に連続形成されて前記底壁を構成する底板と、前記周板の上縁に連続形成されて前記蓋体を構成する覆い板と、が形成された包装用箱の展開体において、
前記シートが、その表面が前記包装用箱の外面を、その裏面が前記包装用箱の内面をそれぞれ構成し、
前記周板が、それぞれ矩形状で、順に環状となるように連なって設けられた４つの側板を備え、
前記４つの側板のうち１に当たる第１側板とそれに連なる第４側板との境界位置を折り目として、前記第１側板と前記第４側板の裏面同士が重なるように折られ、
前記第１側板に連なる第２側板とそれに連なる第３側板との境界位置を折り目として、前記第２側板と前記第３側板の裏面同士が重なるように折られ、
前記覆い板が、前記一対の覆蓋壁を構成する一対の覆蓋板と、前記一対の保持片を構成する一対の折込板と、を備え、
前記一対の覆蓋板が、前記第１側板及び前記第３側板それぞれに連続形成され、
前記一対の折込板が、前記第２側板及び前記第４側板並びに隣り合う前記一対の覆蓋板それぞれに連続形成され、
前記第１側板及び前記第２側板と、これらに連続形成された前記覆蓋板及び前記折込板、が同一平面上に設けられ、
前記第３側板及び前記第４側板と、これらに連続形成された前記覆蓋板及び前記折込板、が同一平面上に設けられ、
前記各折込板には、前記周板との境界に当たる第２、第４境界部の両端部から、略等しい角度を有して上方に向かって傾斜する一対の二等辺部が形成され、
前記各折込板が、前記第２、第４境界部及び前記二等辺部それぞれを折り目とし、前記各覆蓋板と前記各折込板との境界縁を折り目として、当該境界縁が、前記第２、第４境界部に重なるように折られ、前記第２、第４境界部と前記一対の二等辺部とで囲まれた部分が、前記周板の表面に重なるように折られるように構成され、
前記各覆蓋板には、前記周板との境界に当たる第１、第３境界部の両端部から、略等しい角度を有して上方に向かって傾斜する一対の斜辺が形成され、
前記各覆蓋板が、前記各斜辺を折り目として山折りに折られるように構成されていることを特徴とする包装用箱の展開体である。
【００１３】
請求項４記載の本発明は、請求項３記載の発明において、前記一対の覆蓋板のうちいずれか一方、又は、両方が、当該覆蓋板の延設方向縁端に延設され、当該縁端で折り曲げられる提手板を備え、
前記提手板が延設された前記覆蓋板において、前記一対の斜辺の上端が、当該覆蓋板と前記提手板との連結部分における両端部に到ることを特徴とする。
【００１４】
請求項５記載の本発明は、請求項３又は請求項４記載の発明において、前記一対の覆蓋板のうち、少なくともいずれか一方には、面方向に延出形成された延出部が、前記各斜辺と前記境界縁との間に設けられていることを特徴とする。
【発明の効果】
【００１５】
請求項１記載の包装用箱によれば、当該包装用箱を作製するためのシートが所定位置を折り目として折られることにより、上方に開口を有する箱本体が形成され、覆蓋壁が、箱本体の開口を覆う覆蓋位置に位置した状態では、一対の保持片は、各第２、第４側壁との境界に当たる各第２、第４境界部、及び、各第２、第４境界部の両端部から略等しい角度を有して上方に向かって傾斜する一対の二等辺部、それぞれを折り目として、当該境界縁が、各第２、第４境界部に重なるように折られ、各第２、第４境界部と一対の二等辺部とで囲まれた部分が、各第２、第４側壁の表面に重なっている。ここで、各第２、第４境界部と一対の二等辺部とで囲まれた部分が、各第２、第４側壁の表面に重なるように折られることにより、一対の覆蓋壁が、覆蓋位置に案内されることとなる。
【００１６】
この際、各第２、第４境界部と一対の二等辺部とで囲まれた部分が、各第２、第４側壁の表面に重なるように折られるに伴って、一対の覆蓋壁が各第１、第３側壁との境界に当たる各第１、第３境界部を軸として回動されて覆蓋位置に案内される、即ち変位されることとなるが、シートにおける折りの復元力により、各第２、第４境界部と一対の二等辺部とで囲まれた部分が、各第１、第３側壁の表面から離隔するように折り戻され、一対の覆蓋壁が覆蓋位置から箱本体の開口を露出する露出位置まで戻ってしまう場合がある。つまり、蓋が開いてしまうことがある。
【００１７】
そこで、本発明の包装用箱においては、各覆蓋壁には、各第１、第３側壁との境界に当たる各第１、第３境界部の両端部から略等しい角度を有して傾斜する一対の斜辺が、各覆蓋壁の延設方向縁端まで形成され、各覆蓋壁は、各斜辺を折り目として山折りに折られることで、覆蓋位置に位置した状態で、一対の斜辺が稜線となる山型に形成されている。この際、各覆蓋壁において、一対の斜辺で囲まれた台形状の部分は、その下底から上底に向かうに従って、上方に向けて傾斜した状態になり、これにより、第１、第３側壁間の幅が狭められるように内向きの力が生じ、この内向きの力により、各第２、第４境界部が、第１、第３側壁間の幅が狭められるように弓なりに反り返って、一対の保持片が、各第２、第４境界部と同じ方向に反り返りつつ、各第２、第４側壁の表面に押し付けられることとなる。
【００１８】
こうして、包装用箱は、一対の覆蓋壁が覆蓋位置に位置した状態で、一対の保持片が各第２、第４側壁の表面に押し付けられた状態で保持されることとなり、一対の覆蓋壁が覆蓋位置から箱本体の開口を露出する露出位置まで戻ってしまうことを防止できる。このため、従来技術のように、蓋体を覆蓋位置にて保持させるために、保持片を周壁に係止しなくともよくなる。従って、組立作業性の向上を図りつつ、組立状態において、蓋体を覆蓋位置にて確実に保持させることができるとともに、所定形状を安定的に維持しつつ箱形状が美しい包装用箱を提供することができる。
【００１９】
請求項２記載の包装用箱によれば、一対の覆蓋壁のうちいずれか一方、又は、両方が、当該覆蓋壁の延設方向縁端に取り付けられる提手壁を備えている。このように包装用箱に提手壁が設けられたことで、持ち手が得られることとなり、利便性の向上を図ることができる。
【００２０】
また、覆蓋壁と提手壁との連結部分が、一対の斜辺の縁端側の端部の近傍に設けられた場合には、一対の覆蓋壁が覆蓋位置に位置した状態で、提手壁により箱本体が提げられた際に、箱本体に収容された収容物の重さも手伝って、一対の覆蓋壁と底壁とに上下に引き離される力が作用する。この際、一対の覆蓋壁には、その付け根部分（覆蓋壁と提手壁との連結部分）に上方に引っ張られる力が作用する。このように、付け根部分に、上方に引っ張られる力が作用することで、第１、第３側壁間の幅が狭められるように内向きの大きな力が生じることとなり、この内向きの力により、各第２、第４境界部が、第１、第３側壁間の幅が狭められるように弓なりに反り返って、一対の保持片が、各第２、第４境界部と同じ方向に反り返りつつ、各第２、第４側壁の表面に押し付けられることとなる。こうして、包装用箱は、一対の覆蓋壁が覆蓋位置に位置した状態で、一対の保持片が、各第２、第４側壁の表面に押し付けられつつ、確実に保持されることとなる。また、一対の覆蓋壁には、その付け根部分の両端部に、負荷が集中することになるが、この負荷が、各斜辺に分散されることとなり、よって、当該付け根部分にかかる負荷の低減が図られて、包装用箱の耐久性を向上させることができる。
【００２１】
請求項３記載の包装用箱の展開体によれば、第１側板と第４側板との境界位置を折り目として第１側板と第４側板とが互いに離隔するように折り起こされ、第２側板と第３側板との境界位置を折り目として第２側板と第３側板とが互いに離隔するように折り起こされ、底板が下方側の開口を塞ぐように折り起こされることにより、上方に開口を有する箱本体が形成される。つまり、上方の開口が露出された状態の箱本体が形成される。また、各折込板には、周板との境界に当たる第２、第４境界部の両端部から、略等しい角度を有して上方に向かって傾斜する一対の二等辺部が形成され、各折込板が、第２、第４境界部及び二等辺部それぞれを折り目とし、各覆蓋板と各折込板との境界縁を折り目として、当該境界縁が、第２、第４境界部に重なるように折られ、第２、第４境界部と一対の二等辺部とで囲まれた部分が、周板の表面に重なるように折られるように構成されている。ここで、第２、第４境界部と一対の二等辺部とで囲まれた部分が、周板の表面に重なるように折られることにより、一対の覆蓋板が、箱本体の開口を覆う覆蓋位置に案内されることとなる。この際、一対の斜辺を折り目として各覆蓋板が山折りに折られる。このように容易な作業で、包装用箱を形成し得る展開体を提供することができる。
【００２２】
請求項４記載の包装用箱の展開体によれば、一対の斜辺の上端が、当該覆蓋板と提手板との連結部分における両端部に到るように形成されている。この展開体により組み立てられた包装用箱にあっては、一対の覆蓋壁が覆蓋位置に位置した状態で、提手壁により箱本体が提げられた際には、箱本体に収容された収容物に重さも手伝って、一対の覆蓋壁と底壁とに上下に引き離される力が作用する。この際、一対の覆蓋壁には、その付け根部分（覆蓋壁と提手壁との連結部分）に上方に引っ張られる力が作用する。このように、付け根部分に、上方に引っ張られる力が作用することで、第１、第３側壁間の幅が狭められるように内向きの大きな力が生じることとなり、この内向きの力により、各第２、第４境界部が、第１、第３側壁間の幅が狭められるように弓なりに反り返って、一対の保持片が、各第２、第４境界部と同じ方向に反り返りつつ、各第２、第４側壁の表面に押し付けられることとなる。こうして、包装用箱は、一対の覆蓋壁が覆蓋位置に位置した状態で、一対の保持片が、各第２、第４側壁の表面に押し付けられつつ、確実に保持されることとなる。よって、一対の保持片が各第２、第４側壁の表面に押し付けられた状態で保持されることとなり、一対の覆蓋壁が覆蓋位置から箱本体の開口を露出する露出位置まで戻ってしまうことを防止できる包装用箱を形成し得る包装用箱の展開体を得ることができる。
【００２３】
請求項５記載の包装用箱の展開体によれば、一対の覆蓋板のうち、少なくともいずれか一方には、面方向に延出形成された延出部が、各斜辺と境界縁との間に設けられている。このように延出部は、組立状態の包装用箱にあっては、一対の覆蓋壁が覆蓋位置に位置した状態で、他方の覆蓋壁の表面に重ねられるから、一対の覆蓋壁間の隙間が塞がれることとなる。つまり、一対の覆蓋壁が覆蓋位置に位置した状態で、箱本体内への異物の侵入を防止することができる包装用箱を形成し得る包装用箱の展開体を得ることができる。
【図面の簡単な説明】
【００２４】
【図１】本発明の一実施の形態にかかる包装用箱の斜視図である。
【図２】本発明の一実施の形態にかかる包装用箱の展開体を示す平面図である。
【図３】図２に示された包装用箱の展開体の製造前の、１枚の紙材に打ち抜き加工が施されて構成されたシートを示す平面図である。
【図４】図１に示された包装用箱を示す斜視図であり、（Ａ）は、蓋体が露出位置に設けられた状態を示す図であり、（Ｂ）は、蓋体が覆蓋位置に設けられた状態を示す図である。
【図５】特許文献１に記載された従来の包装用箱を示す斜視図である。
【発明を実施するための形態】
【００２５】
以下、本発明の例示的一態様である実施形態にかかる包装用箱及びその展開体を、図１〜図４を参照して説明する。
【００２６】
図１、図４において、符号１Ａは、本発明の一実施の形態にかかる包装用箱であり、図２、図４において、符号１は、本発明の一実施の形態にかかる包装用箱の展開体である。この包装用箱の展開体１は、包装用箱１Ａを作製するための展開体である。
【００２７】
包装用箱１Ａは、包装用箱の展開体１（図２に示す）に形成された各折り目が折り起こされて構成されたものであり、図１に示すように、上方に開口２０Ａ（図４（Ａ）に示す）を有する箱本体２Ａと、この箱本体２Ａの開口２０Ａを覆う蓋体７Ａと、を一体に備えて構成されている。箱本体２Ａは、矩形状の底壁４Ａと、底壁４Ａの４つの各縁１ａ、２ａ、３ａ、４ａから立設された第１側壁３１Ａ、第２側壁３２Ａ、第３側壁３３Ａ、第４側壁３４Ａと、を備えている。これらの４つの側壁３１Ａ、３２Ａ、３３Ａ、３４Ａは、周壁３Ａを構成する。包装用箱１Ａは、その組立状態において、第１側壁３１Ａと第３側壁３３Ａとが対向配置され、第２側壁３２Ａと第４側壁３４Ａとが対向配置されている。
【００２８】
蓋体７Ａは、前後方向に対向する第１、第３側壁３１Ａ、３３Ａの上縁１ｂ、３ｂに延設された一対の覆蓋壁７１Ａ、７３Ａと、左右方向に対向する第２、第４側壁３２Ａ、３４Ａの上縁２ｂ、４ｂに延設された一対の保持片７２Ａ、７４Ａと、一対の覆蓋壁７１Ａ、７３Ａの上縁１ｃ、３ｃ（延設方向縁端）に延設され、当該上縁１ｃ、３ｃで折り曲げられて互いに重なる一対の提手壁７６Ａ、７６Ａと、を備えて構成されている。一対の保持片７２Ａ、７４Ａは、各第２、第４側壁３２Ａ、３４Ａとの境界に位置する縁２ｂ、４ｂを軸として回動することで、一対の覆蓋壁７１Ａ、７３Ａを箱本体２Ａの開口２０Ａを覆う「覆蓋位置」と「露出位置」とに案内する。
【００２９】
ここで、本明細書では、包装用箱１Ａにおいて、第１側壁３１Ａと第３側壁３３Ａとの対向方向を矢印Ｚで示し、箱本体２Ａの開口２０Ａの貫通方向を矢印Ｙで示し、矢印Ｚと矢印Ｙとの双方向に直交する方向を矢印Ｘで示す。さらに、本明細書では、矢印Ｚを前後方向と記し、矢印Ｘを左右方向と記し、矢印Ｙを上下方向と記す場合がある。また、前後方向のうち、図２、図３における紙面垂直方向の手前側を「前方」と記し、奥側を「後方」と記す。つまり、本明細書では、図１に示すように、包装用箱１Ａは、底壁４Ａが設けられた側が下方を向くとともに、第１、第３側壁３１Ａ、３３Ａが前後方向に対向配置され、第２、第４側壁３２Ａ、３４Ａが左右方向に対向配置されている。
【００３０】
（包装用箱の展開体）
包装用箱の展開体１は、図２に示すように、１枚の紙材に打ち抜き加工等のプレス加工を施してなるシート１０１（図３に示す）を、所定位置を折り目として折り畳むことで全体として厚みの少ない板状に形成されている。つまり、包装用箱の展開体１は、周壁３Ａを構成する周板３と、底壁４Ａを構成する底板４と、蓋体７Ａを構成する覆い板７と、を有している。シート１０１は、図３中の紙面垂直方向のうち手前側の面（表面）が、包装用箱の展開体１（後述する包装用箱１Ａ）の外面を構成するように設けられ、奥側の面（裏面）が包装用箱の展開体１の内面を構成するように用いられる。
【００３１】
周板３は、図２に示すように、第１側壁３１Ａを構成する第１側板３１と、この第１側板３１の側縁ｄに連続形成されるとともに、第２側壁３２Ａを構成する第２側板３２と、この第２側板３２の側縁１０ｂに連続形成されるとともに、第３側壁３３Ａを構成する第３側板３３と、この第３側板３３の側縁ｅに連続形成されるとともに、第１側板３１の側縁ｄと反対側の側縁１０ａに連続形成される、第４側壁３４Ａを構成する第４側板３４と、第３側板３３の側縁ｅに連続形成されるとともに、第４側板３４の裏面に貼付される周板貼付部３５と、を備えている。
【００３２】
周板３は、第１側板３１と第２側板３２とが同一平面上に設けられ、第３側板３３と第４側板３４とが同一平面上に設けられ、第１側板３１と第４側板３４との境界に位置する側縁１０ａ（以下、包装用箱の展開体１の一方の側縁１０ａと記す）を折り目として、第１側板３１と第４側板３４との裏面同士が対向して重なるように、第２側板３２と第３側板３３との境界に位置する側縁１０ｂ（以下、包装用箱の展開体１の他方の側縁１０ｂと記す）を折り目として、第２側板３２と第３側板３３との裏面同士が対向して重なるように折られ、周板貼付部３５の表面が、第４側板３４の裏面に重ねられた状態で、第４側板３４に接着固定されている。こうして周板３は、各側板３１、３２、３３、３４が連なる方向（周方向）に連続された環状に形成されている。
【００３３】
第１側板３１、第２側板３２、第３側板３３、第４側板３４のうち、第１、第３側板３１、３３と、第２、第４側板３２、３４は、それぞれ、平面形状が略等しい長方形状に形成されている。第１、第３側板３１、３３は、その短辺１０ａ、ｄ、１０ｂ、ｅが上下方向に沿うように、長辺１ａ、１ｂ、３ａ、３ｂが左右方向に沿うように配置されている。第２、第４側板３２、３４は、その長辺ｄ、１０ｂ、ｅ、１０ａが上下方向に沿うように、その短辺２ａ、２ｂ、４ａ、４ｂが左右方向に沿うように配置されている。第１、第３側板３１、３３の短辺１０ａ、ｄ、１０ｂ、ｅは、第２、第４側板３２、３４の長辺ｄ、１０ｂ、ｅ、１０ａと略等しい長さになるように形成されている。
【００３４】
周板貼付部３５は、第３側板３３における第２側板３２と反対側の側縁ｅに連続形成されているとともに、第４側板３４の裏面に貼付されている。
【００３５】
覆い板７は、図２に示すように、一対の覆蓋壁７１Ａ、７３Ａを構成する一対の覆蓋板７１、７３と、一対の保持片７２Ａ、７４Ａを構成する一対の折込板７２、７４と、覆い板貼付部７５と、一対の提手壁７６Ａを構成する一対の提手板７６、７６と、を備えている。一対の覆蓋板７１、７３は、各第１、第３側板３１、３３の上縁１ｂ、３ｂに連続形成され、一対の折込板７２、７４は、各第２、第４側板３２、３４の上縁２ｂ、４ｂに連続形成されている。
【００３６】
以下では、第１側板３１の上縁１ｂに連続形成された覆蓋板を第１覆蓋板７１と記し、第２側板３２の上縁２ｂに連続形成された折込板を第２折込板７２と記し、第３側板３３の上縁３ｂに連続形成された覆蓋板を第３覆蓋板７３と記し、第４側板３４の上縁４ｂに連続形成された折込板を第４折込板７４と記す。第１覆蓋板７１と第３覆蓋板７３とは同一機能及び同一構成を有するように形成され、第２折込板７２と第４折込板７４とは同一機能及び同一構成を有するように形成されている。
【００３７】
覆い板７は、図２に示すように、第１覆蓋板７１と第２折込板７２とが同一平面上に設けられ、第３覆蓋板７３と第４折込板７４とが同一平面上に設けられ、第１覆蓋板７１と第４折込板７４との境界に位置する縁ｉを折り目として、第１覆蓋板７１と第４折込板７４との裏面同士が対向して重なるように、第２折込板７２と第３覆蓋板７３との境界に位置する縁ｇを折り目として、第２折込板７２と第３覆蓋板７３との裏面同士が対向して重なるように折られ、覆い板貼付部７５の表面が、第４折込板７４の裏面に重ねられた状態で、第４折込板７４に接着固定されている。こうして覆い板７は、各覆蓋板７１、７３と各折込板７２、７４とが交互に設けられているとともに、周方向に連続された環状に形成されている。
【００３８】
ここで、本明細書において用いられる各「折り目」は、それぞれ、シート１０１にプレス加工が施されることで形成されるものであり、シート１０１の所定位置を折り易くするために形成されている。
【００３９】
第１覆蓋板７１、第２折込板７２、第３覆蓋板７３、第４折込板７４のうち、各第１、第３覆蓋板７１、７３は、平面形状が略等しい長方形状に形成され、各第２、第４折込板７２、７４は、平面形状が略等しい長方形状に形成されている。
【００４０】
各覆蓋板７１、７３は、その長方形の各短辺ｆ、ｈ、ｉ、ｇが、各第１、第３側板３１、３３の側縁ｄ、ｅ、１０ａ、１０ｂに連続形成されている。また、各覆蓋板７１、７３の短辺ｆ、ｈ、ｉ、ｇは、その上下寸法が、各第２、第４側板３２、３４の各上縁２ｂ、４ｂ（第２側板３２と第２折込板７２との境界に位置する縁２ｂ、及び、第４側板３４と第４折込板７４との境界に位置する縁４ｂ）の両端に位置する角部イから、その中点ロまでの寸法と略等しい寸法になるように形成されている。こうして、一対の覆蓋板７１、７３が覆蓋位置に位置した際に、各覆蓋板７１、７３の各短辺ｆ、ｈ、ｉ、ｇが、各第２、第４側板３２、３４と各第２、第４折込板７２、７４との境界に位置する各縁２ｂ、４ｂに重ねられる。
【００４１】
なお、第２側板３２の上縁２ｂと、第２側板３２と第２折込板７２との境界に位置する縁２ｂ、及び、各第４側板３４の上縁４ｂと、第４側板３４と第４折込板７４との境界に位置する縁４ｂは、同一部位を示している。このように、本明細書において用いられる「端部」「縁（側縁）」「長辺（短辺）」「上底（下底）」等に付与する符号は、同一部位に対して、例えば名称が異なる場合であったとしても同じ符号を付すこととする。また、以下では、第１側板３１の上縁１ｂ、即ち、第１側板３１と第１覆蓋板７１との境界に位置する縁を、第１境界部１ｂと記し、第２側板３２の上縁２ｂ、即ち、第２側板３２と第２折込板７２との境界に位置する縁を、第２境界部２ｂと記し、第３側板３３の上縁３ｂ、即ち、第３側板３３と第３覆蓋板７３との境界に位置する縁を、第３境界部３ｂと記し、第４側板３４の上縁４ｂ、即ち、第４側板３４と第４折込板７４との境界に位置する縁を、第４境界部４ｂと記す場合がある。
【００４２】
また、各第１、第３覆蓋板７１、７３には、各第１、第３境界部１ｂ、３ｂの各両端に位置する角部イから略等しい角度を有して上方に向かって傾斜する一対の斜辺ｓ、ｓが形成されている。換言すると、一対の斜辺ｓ、ｓは、各覆蓋板７１、７３において、上方に向かうに従って互いに近付く方向に傾斜して形成されている。各斜辺ｓは、その下端部が、各第１、第３境界部１ｂ、３ｂの各両端に位置する角部イに位置し、上端部が各第１、第３覆蓋板７１、７３の各上縁１ｃ、３ｃ上の点ハに一致するように形成されている。各第１、第３覆蓋板７１、７３は、各斜辺ｓを折り目として、当該第１、第３覆蓋板７１、７３が山折りに折られるように構成されている。なお、本明細書における「山折り」とは、シート１０１を表面側から見て山型形状となるように折ること、「谷折り」とは、シート１０１を表面側から見て谷型形状となるように折ること、それぞれを意味する。
【００４３】
また、第１覆蓋板７１は、第１台形状部８１と、この第１台形状部８１の左右の両側に設けられた一対の三角形状部８２、８４と、を備えている。第３覆蓋板７３は、第３台形状部８３と、この第３台形状部８３の左右の両側に設けられた一対の三角形状部８２、８４と、を備えている。各台形状部８１、８３と各一対の三角形状部８２、８４とは、一対の斜辺ｓ、ｓを介して連続形成されている。また、第１台形状部８１に連続する三角形状部８２と第３台形状部８３に連続する三角形状部８２とは、第２折込板７２の各側縁ｆ、ｇを介して第２折込板７２の両側に連続形成されたものであり、第１台形状部８１に連続する三角形状部８４と第３台形状部８３に連続する三角形状部８４とは、第４折込板７４の各側縁ｈ、ｉを介して第４折込板７４の両側に連続形成されたものである。
【００４４】
各台形状部８１、８３は、その下底が各第１、第３境界部１ｂ、３ｂの各両端に位置する角部イ間とされ、その上底が第１、第３覆蓋板７１、７３の上縁１ｃ、３ｃにおける点ハ間（第１、第３覆蓋板７１、７３の上縁１ｃ、３ｃにおける両端部ニから点ハまでを除く位置）とされ、各斜辺ｓを斜辺とする等脚台形状に形成されている。各台形状部８１、８３の下底１ｂ、３ｂから上底までの最短距離、即ち上下に沿う寸法が、第２、第４境界部２ｂ、４ｂの各両端に位置する角部イから中点ロまでの寸法と略等しくなるように形成されている。このような各台形状部８１、８３は、一対の覆蓋板７１、７３が覆蓋位置に設けられた状態で、台形壁８１Ａ、８３Ａを構成し、その上底が第１、第３側板３１、３３間（前後方向）の中央部に位置するように設けられ、その下底１ｂ、３ｂから上底に向かうに従って上方に狭まるように傾斜して設けられている。
【００４５】
各一対の三角形状部８２、８４は、その底辺が各覆蓋板７１、７３の両側縁ｆ、ｈ、ｉ、ｇとされ、各斜辺ｓを斜辺とする直角二等辺三角形状に形成されている。各一対の三角形状部８２、８４は、一対の連続板１２、１２が、各二等辺部ｖを折り目として山折りに折られて、折り込み部１１に重ねられるのに伴い、その底辺ｆ、ｈ、ｉ、ｇが傾倒され、各第２、第４境界部２ｂ、４ｂに重ねられ、そして、上端ニが中点ロに重ねられる。
【００４６】
各第２、第４折込板７２、７４は、図２に示すように、それぞれが、三角形状の折り込み部１１と、この折り込み部１１の左右の両側において、第１、第３覆蓋板７１、７３に連続形成される一対の連続板１２、１２と、を備えて長方形状に形成されている。
【００４７】
各折り込み部１１は、各第２、第４境界部２ｂ、４ｂの各両端に位置する角部イから略等しい角度を有して上方に向かって傾斜する一対の二等辺部ｖ、ｖを有して直角二等辺三角形状に形成されている。各一対の連続板１２は、各二等辺部ｖ、ｖを底辺とし、各第２、第４折込板７２、７４の上縁２ｃ、４ｃと各折込板７２、７４の側縁ｆ、ｈ、ｉ、ｇとの接点ニを頂角とする三角形状に形成されている。
【００４８】
覆い板貼付部７５は、第３覆蓋板７３における第２折込板７２と反対側の側縁ｈに連続形成されるとともに、第４折込板７４の裏面に貼付されている。
【００４９】
一対の提手板７６、７６は、全体形状が略Ｃ字状に形成され、各第１、第３覆蓋板７１、７３の各上縁（延設方向端縁）１ｃ、３ｃから上方に延出形成されている。つまり、各提手板７６は、各付け根部分ｋ、ｋで、各覆蓋板７１、７３に連結されている。２箇所の各付け根部分ｋにおける左右の外側の端部ハが、各斜辺ｓの上端ハと一致するように形成されている。
【００５０】
なお、本実施形態では、各提手板７６は、２箇所の各付け根部分ｋを有して構成されているが、本発明はこれに限定されるものではない。各提手板は、その付け根部分が、一端ハから他端ハまで、各第１、第３覆蓋板７１、７３に連続形成されていてもよい。つまり、各提手板は、各第１、第３覆蓋板７１、７３に１箇所で連結されていてもよい。また、本実施形態では、提手板７６は、各第１、第３覆蓋板７１、７３のそれぞれに連続形成されていたが、本発明はこれに限定されるものではない。提手板は、第１覆蓋板７１と第３覆蓋板７３とのうちのいずれか一方のみに連続形成されていてもよい。提手板が、第１覆蓋板７１と第３覆蓋板７３とのうちのいずれか一方のみに連続形成されている場合には、提手板は、第３覆蓋板７３、即ち、第２延出片７９が連続形成されていない覆蓋板に、連続形成されていのが好ましい。または、提手板は、第１、第３覆蓋板７１、７３に連続形成されていなくともよい。つまり、提手板を省略してもよい。この場合には、提手板は、別体構成されていてもよく、例えば、紐状の部材を、各第１、第３覆蓋板７１、７３のうちいずれか一方、又は、両方に取り付けてもよい。その場合には、覆蓋板と紐状の部材との連結部分が、一対の斜辺の縁端側の端部の近傍に設けられているのが好ましい。
【００５１】
また、各第１、第３覆蓋板７１、７３には、第１覆蓋板７１の上縁１ｃから、当該第１覆蓋板７１の面方向に延出された一対の第１延出片７８、７８（請求項中の「延出片」に相当する）及び第２延出片７９が設けられている。各第１延出片７８は、第１覆蓋板７１の上縁１ｃの両端ニと斜辺ｓの上端ハとの間においてその全長から上方に延出形成されている。なお、各第１延出片７８は、第３覆蓋板７３に設けられていてもよく、各第１、第３覆蓋板７１、７３の両方に１つ又は２つ設けられていてもよい。各第２延出片７９は、第１覆蓋板７１の上縁１ｃのうち一対の付け根部分ｋ、ｋ間においてその全長から上方に延出形成されている。
【００５２】
さらに、各第２、第４折込板７２、７４には、一対の連続板１２、１２のうち一方に、その面方向に延出形成されて、他方の表面に重ねられる重なり片７７が設けられている。重なり片７７は、第１覆蓋板７１の左右の両側に連続形成された連続板１２それぞれに設けられている。
【００５３】
底板４は、各第１、第３側板３１、３３の各下縁１ａ、３ａに連続形成された一対の底板本体４１、４３と、各第２、第４側板３２、３４の各下縁２ａ、４ａに連続形成された一対の補強片４２、４４と、一対の底板本体４１、４３のそれぞれに連続された、四角形状の一対の底板貼付部４５、４５と、を備えている。一対の底板本体４１、４３のうち、第１側板３１の下縁１ａに連続形成されたものを第１底板本体４１と記し、第３側板３３の下縁３ａに連続形成されたものを第３底板本体４３と記す場合がある。また、一対の補強片４２、４４のうち、第２側板３２の下縁２ａに連続形成されたものを第２補強片４２と記し、第４側板３４の下縁４ａに連続形成されたものを第４補強片４４と記す場合がある。
【００５４】
一対の底板本体４１、４３は、各第１、第３側板３１、３３の各下縁１ａ、３ａを下底とした略台形状に形成されている。各底板本体４１、４３は、その上底ｍが下底１ａ、３ａよりも短くなるように形成されている。第１底板本体４１には、包装用箱の展開体１の一方の側縁１０ａ側の斜辺ｚに、底板貼付部４５が連続形成され、第３底板本体４３には、包装用箱の展開体１の他方の側縁１０ｂ側の斜辺ｚに、底板貼付部４５が連続形成されている。
【００５５】
一対の底板本体４１、４３には、一対の係合片４６、４６が形成されている。各係合片４６同士は、互いに係合可能な形状に設けられている。これらの係合片４６同士が係合することで、一対の底板本体４１、４３同士の係合状態が維持される。各係合片４６は、各底板本体４１、４３の上底ｍから面延在方向に延出形成されている。
【００５６】
一対の補強片４２、４４は、それぞれ、第２、第４側板３２、３４の各下縁２ａ、４ａを下底とした台形状に形成されている。各補強片４２、４４の上底ｎは、各下底２ａ、４ａよりも短くなるように形成されている。各補強片４２、４４の上底ｎにおいて、その左右の両端が、各第１、第３側板３１、３３の両側縁ｄ、ｅ、１０ａ、１０ｂよりも内側に設けられている。
【００５７】
底板貼付部４５は、各第１、第３側板３１、３３との境界に位置する斜辺ｚを折り目として、谷折りに折られ、各第２、第４補強片４２、４４の表面に貼付されている。
【００５８】
このような底板４は、第１底板本体４１と第１側板３１との境界に位置する縁１ａ（第１側板３１の下縁１ａ）を折り目として第１底板本体４１と第１側板３１との裏面同士が重ねられるように、第２補強片４２と第２側板３２との境界に位置する縁２ａ（第２側板３２の下縁２ａ）を折り目として第２補強片４２と第２側板３２との裏面同士が重ねられるように、第３底板本体４３と第３側板３３との境界に位置する縁３ａ（第３側板３３の下縁３ａ）を折り目として第３底板本体４３と第３側板３３との裏面同士が重ねられるように、第４補強片４４と第４側板３４との境界に位置する縁４ａ（第４側板３４の下縁４ａ）を折り目として第４補強片４４と第４側板３４との裏面同士が重ねられるように折られている。つまり、第１、第４側板３１、３４間に第１底板本体４１と第４補強片４４とが重ねられた状態で挟み込まれ、第２、第３側板３２、３３間に第２補強片４２と第３底板本体４３とが重ねられた状態で挟み込まれている。また、各底板貼付部４５は、各第１、第３側板３１、３３との境界に位置する斜辺ｚを折り目として、谷折りに折られ、各底板貼付部４５の裏面が、各第２、第４補強片４２、４４の表面に重ねられた状態で接着固定されている。
【００５９】
（包装用箱の展開体の組立方法）
続いて、包装用箱の展開体１を用いて構成された包装用箱１Ａの組立手順について、図２、図４（Ａ）（Ｂ）を参照して説明する。
【００６０】
まず、図２に示された包装用箱の展開体１の一方の側縁１０ａと、その他方の側縁１０ｂと、を互いに近付けるように、包装用箱の展開体１の一方の側縁１０ａ（第１側板３１と第４側板３４との境界位置）を折り目として、第１側板３１と第４側板３４とが互いに離隔するように折り起こし、包装用箱の展開体１の他方の側縁１０ｂ（第２側板３２と第３側板３３との境界位置）を折り目として、第２側板３２と第３側板３３とが互いに離隔するように折り起こす。すると、一対の開口２０Ａ（上方側の開口２０Ａ）が形成される。さらに離隔されるに伴って、開口２０Ａが徐々に拡大される。これに伴い、下方側の開口縁の一部である第１側板３１の下縁１ａに連続形成された第１底板本体４１と、第４側板３４の下縁４ａに連続された第４補強片４４と、が、下方側の開口を塞ぐように折り起こされ、第２側板３２の下縁２ａに連続された第２補強片４２と、第３側板３３の下縁３ａに連続された第３底板本体４３とが、下方側の開口を塞ぐように折り起こされる。さらに離隔されるに伴って、第１底板本体４１の係合片４６と、第３底板本体４３の係合片４６とが当接し、これら係合片４６同士が擦接されつつ、一方の係合片４６（他方の係合片４６）が他方の係合片４６（一方の係合片４６）を乗り上げ、乗り越える。こうして、これら係合片４６同士が係合されて、一対の底板本体４１、４３同士の係合状態が維持される。一対の底板本体４１、４３同士が係合した状態では、組立状態の包装用箱１Ａの下方側の開口が塞がれている。以上のように、箱本体２Ａが組み立てられる。
【００６１】
この後、図４（Ａ）に示すように、各第１、第３境界部１ｂ、３ｂを折り目として山折りに折って、各第１、第３覆蓋板７１、７３と提手板７６との境界に位置する縁１ｃ、３ｃを折り目として谷折りに折って、折り癖を付与する。こうして、形成された各覆蓋壁７１Ａ、７３Ａは、箱本体２Ａの上方の開口２０Ａを露出する「露出位置」に位置した状態とされる。
【００６２】
そして、各一対の二等辺部ｖ、ｖを折り目とし、各折り込み部１１と一対の連続板１２、１２との裏面同士が対向して重なるように山折りに折る。すると、各覆蓋板７１、７３と各折込板７２、７４との各境界縁ｆ、ｈ、ｉ、ｇが、各第２、第４境界部２ｂ、４ｂに重なる。また、各台形状部８１、８３は、その上底１ｃ、３ｃ同士が接触されて、各台形壁８１Ａ、８３Ａが構成され、各一対の三角形状部８２、８４から各三角壁８２Ａ、８４Ａが構成される。これと略同時に、提手板７６の裏面同士が対向して重なって、提手壁７６Ａが構成される。
【００６３】
さらに、各折り込み部１１と一対の連続板１２、１２を、互いに重ねられた各第２境界部２ｂと各境界縁ｆ、ｈ、及び、各第４境界部４ｂ及び各境界縁ｉ、ｇ、を軸として回動させて、第２、第４側板３２、３４の表面に近付けるように折り曲げ、一対の保持片７２Ａ、７４Ａが構成される。こうして、図４（Ｂ）に示すように、一対の覆蓋壁７１Ａ、７３Ａが「覆蓋位置」に位置した状態とされ、包装用箱１Ａが組み立てられる。
【００６４】
このように組み立てられた包装用箱１Ａは、一対の保持片７２Ａ、７４Ａが、各第２、第４境界部２ｂ、４ｂを軸として回動され、この回動に伴って、各覆蓋壁７１Ａ、７３Ａが、各第１、第３境界部１ｂ、３ｂを軸として回動されて、箱本体２Ａの開口２０Ａを覆う「蓋覆位置」と当該開口２０Ａを露出する「露出位置」に、蓋体７Ａが回動可能に変位する。
【００６５】
（包装用箱）
包装用箱１Ａは、図１に示すように、上方に開口２０Ａを有する箱本体２Ａと、箱本体２Ａの開口縁１ｂ、２ｂ、３ｂ、４ｂに延設される蓋体７Ａと、を備えている。箱本体２Ａは、矩形状の底壁４Ａと、この底壁４Ａの４つの各縁１ａ、２ａ、３ａ、４ａから立設される周壁３Ａと、を備えて、上方に開口２０Ａを有する有底筒状に形成されている。周壁３Ａは、底壁４Ａの縁１ａから立設された第１側壁３１Ａと、底壁４Ａの縁２ａから立設された第２側壁３２Ａと、底壁４Ａの縁３ａから立設された第３側壁３３Ａと、底壁４Ａの縁４ａから立設された第４側壁３４Ａと、を備えて、四角筒状に形成されている。第１側壁３１Ａと第３側壁３３Ａとが対向配置され、第２側壁３２Ａと第４側壁３４Ａとが対向配置されている。
【００６６】
底壁４Ａは、第１、第３底板本体４１、４３を構成する一対の底壁本体４１Ａ、４３Ａと、第２、第４補強片４２、４４を構成する一対の補強壁４２Ａ、４４Ａと、一対の底板貼付部４５を構成する一対の底壁貼付部４５Ａ、４５Ａと、を備えている。この底壁４Ａは、第１側壁３１Ａと第４側壁３４Ａとが互いに離隔するように折り起こされ、第２側壁３２Ａと第４側壁３４Ａとが互いに離隔するように折り起こされることにより、周壁３Ａの下方側の開口を塞ぐように折り起こされて形成されたものである。
【００６７】
また、包装用箱１Ａの組立状態において、底壁４Ａの４つの縁１ａ、２ａ、３ａ、４ａは、第１底壁本体４１Ａと第１側壁３１Ａとの境界に位置する縁１ａ、第２補強壁４２Ａと第２側壁３２Ａとの境界に位置する縁２ａ、第３底壁本体４３Ａと第３側壁３３Ａとの境界に位置する縁３ａ、第４補強壁４４Ａと第４側壁３４Ａとの境界に位置する縁４ａのことである。第１側壁３１Ａは底壁４Ａの縁１ａから立設され、第２側壁３２Ａは底壁４Ａの縁２ａから立設され、第３側壁３３Ａは底壁４Ａの縁３ａから立設され、第４側壁３４Ａは底壁４Ａの縁４ａから立設されている。これらの４つの縁１ａ、２ａ、３ａ、４ａは、請求項中の「底壁の４つの縁」を構成する。また、これらの４つの縁１ａ、２ａ、３ａ、４ａは、周壁３Ａの下方側の開口縁を構成する。
【００６８】
また、包装用箱１Ａの組立状態にあっては、一対の底壁本体４１Ａ、４３Ａは、それらが有する一対の係合片４６、４６同士が係合されることで、係合状態が維持されている。この係合状態が維持されることにより、周壁３Ａの下方側の開口が塞がれた状態が継続される。また、包装用箱１Ａの組立状態では、一対の底壁貼付部４５Ａ、４５Ａは、一対の補強壁４２Ａ、４４Ａの上面に貼付され、一対の底壁本体４１Ａ、４３Ａは、一対の補強壁４２Ａ、４４Ａの上面に重ねて設けられている。
【００６９】
蓋体７Ａは、一対の覆蓋壁７１Ａ、７３Ａと、一対の保持片７２Ａ、７４Ａと、一対の提手壁７６Ａ、７６Ａと、を備えている。一対の保持片７２Ａ、７４Ａは、第２、第４境界部２ｂ、４ｂを軸として回動することで、一対の覆蓋壁７１Ａ、７３Ａを「覆蓋位置」と「露出位置」とに案内する。
【００７０】
一対の覆蓋壁７１Ａ、７３Ａは、第１、第３台形状部８１、８３を構成する第１、第３台形壁８１Ａ、８３Ａと、第１台形状部８１及び第３台形状部８３の第２折込板７２側の各三角形状部８２を構成する第２三角壁８２Ａと、第１台形状部８１及び第３台形状部８３の第４折込板７４側の各三角形状部８４を構成する第４三角壁８４Ａと、を備えている。換言すると、第２三角壁８２Ａは、第２折込板７２の左右の両側に隣接する三角形状部８２、８２から構成され、第４三角壁８４Ａは、第４折込板７４の左右の両側に隣接する三角形状部８４、８４から構成されている。
【００７１】
第１、第３台形壁８１Ａ、８３Ａは、その下底が第１、第３境界部１ｂ、３ｂの各両端に位置する角部イ間とされ、その上底が第１、第３覆蓋壁７１Ａ、７３Ａの上縁１ｃ、３ｃにおける点ハ間とされ、各斜辺ｓを斜辺とする等脚台形状に形成されている。各台形壁８１Ａ、８３Ａは、覆蓋位置において、その上底１ｃ、３ｃ同士が、箱本体２Ａの開口２０Ａにおける前後方向の中央部において接触される。
【００７２】
第２、第４三角壁８２Ａ、８４Ａは、第２、第４境界部２ｂ、４ｂを下底とし、第１、第３台形状部８１、８３との境界に位置する各斜辺ｓが成す角を頂部ハとする二等辺三角形状に形成されている。
【００７３】
第２、第４三角壁８２Ａ、８４Ａは、各覆蓋壁７１Ａ、７３Ａが、露出位置から覆蓋位置に回動される際に、各覆蓋板７１、７３と各折込板７２、７４との境界縁ｆ、ｈ、ｉ、ｇが、第２、第４境界部２ｂ、４ｂに重なるように傾倒されることで、第２折込板７２の左右の両側の三角形状部８２、８２が前後方向に隣接する位置に並んで設けられ、第４折込板７４の左右の両側の三角形状部８４、８４が前後方向に隣接する位置に並んで設けられることで、それぞれ得られたものである。
【００７４】
一対の保持片７２Ａ、７４Ａは、各折り込み部１１を構成する折り込み壁１１Ａと、各一対の連続板１２、１２を構成する一対の連続壁１２Ａ、１２Ａと、を備えて構成されている。一対の連続壁１２Ａ、１２Ａは、一対の二等辺部ｖ、ｖを折り目とし、折り込み部１１と一対の連続板１２、１２との裏面同士が対向して重なるように山折りに折られることで得られたものであり、一対の覆蓋壁７１Ａ、７３Ａが覆蓋位置に位置した状態では、折り込み壁１１Ａの裏面に重ねられた状態で、前後方向に隣接する位置に並んで設けられている。
【００７５】
一対の提手壁７６Ａ、７６Ａは、一対の覆蓋壁７１Ａ、７３Ａが覆蓋位置に位置した状態で、その裏面同士が重ねられて、各付け根部分ｋから上方に立設して設けられている。
【００７６】
このような蓋体７Ａを「露出位置」から「覆蓋位置」に移動させる際には、その第２、第４境界部２ｂ、４ｂを折り目として、一対の保持片７２Ａ、７４Ａを第２、第４側壁３２Ａ、３４Ａの表面に重ねるように折ることで、第２、第４境界部２ｂ、４ｂを軸として回動させる。これにより、各覆蓋壁７１Ａ、７３Ａと各保持片７２Ａ、７４Ａとの境界縁ｆ、ｈ、ｉ、ｇが傾倒されて第２、第４境界部２ｂ、４ｂに重なり、これに伴い、一対の覆蓋壁７１Ａ、７３Ａが、各第１、第３境界部１ｂ、３ｂを軸として回動されて覆蓋位置に案内される。
【００７７】
一対の覆蓋壁７１Ａ、７３Ａが覆蓋位置に位置した状態では、第１、第２延出片７８、７９は、それぞれが、第３覆蓋壁７３Ａの表面に重ねられている。第１、第２延出片７８、７９は、第１、第３覆蓋壁７１Ａ、７３Ａの隙間を塞ぐから、箱本体２Ａ内への異物の侵入を防止する。この際、重なり片７７は、他方の連続壁１２Ａの表面に重ねられている。重なり片７７が、他方の連続壁１２Ａの表面に重ねられることにより、箱形状を美しいものにできるが、重なり片７７は省略してもよい。
【００７８】
一方、一対の覆蓋壁７１Ａ、７３Ａを、「覆蓋位置」から「露出位置」に移動させる際には、一対の保持片７２Ａ、７４Ａを、各第２、第４境界部２ｂ、４ｂを軸として、各第２、第４側壁３２Ａ、３４Ａの表面から離隔する方向に回動させる。これにより、各覆蓋壁７１Ａ、７３Ａと各保持片７２Ａ、７４Ａとの境界縁ｆ、ｈ、ｉ、ｇが、各第２、第４境界部２ｂ、４ｂから離隔されて起立する。これに伴い、一対の覆蓋壁７１Ａ、７３Ａが、各第１、第３境界部１ｂ、３ｂを軸として回動されて露出位置まで案内される。こうして、一対の覆蓋壁７１Ａ、７３Ａが「露出位置」に位置した状態とされる。このように構成された包装用箱１Ａは、蓋体７Ａが、箱本体２Ａの開口２０Ａを覆う「覆蓋位置」と当該開口２０Ａを露出する「露出位置」に回動可能に構成されている。
【００７９】
このような包装用箱１Ａは、一対の覆蓋壁７１Ａ、７３Ａが覆蓋位置に位置した状態で、提手壁７６Ａにより箱本体２Ａが提げられた際には、箱本体２Ａに収容された収容物の重さも手伝って、一対の覆蓋壁７１Ａ、７３Ａと底壁４Ａとに上下に引き離される力Ｆ１、Ｆ２（図４（Ｂ）に示す）が作用する。この際、一対の覆蓋壁７１Ａ、７３Ａは、その付け根部分ｋに上方に引っ張られる力Ｆ１が作用して、その付け根部分ｋを頂部とするように隆起した山型になるように変形されることとなる。即ち、各台形壁８１Ａ、８３Ａは、覆蓋位置において、下底１ｂ、３ｂから上底１ｃ、３ｃに向かうに従って、上方に向かうように傾斜して設けられ、各三角壁８２Ａ、８４Ａは、覆蓋位置において、下底２ｂ、４ｂから頂部ハに向かうに従って、上方に向かうように傾斜して設けられている。
【００８０】
ここで、提手壁７６Ａの各付け根部分ｋに力Ｆ１が作用して、各第１、第３側壁３１Ａ、３３Ａ間の幅が狭められるように内向きの力Ｆ３、Ｆ４が生じることで、これらの力Ｆ１、Ｆ２により、一対の斜辺ｓを折り目として、山折りの折り癖が付けられつつ、第２、第４境界部２ｂ、４ｂが、第１、第３側壁３１Ａ、３３Ａ間の幅が狭められるように弓なりに反り返り、一対の保持片７２Ａ、７４Ａが、第２、第４境界部２ｂ、４ｂと同じ方向に反り返って、各第２、第４側壁３２Ａ、３４Ａの表面に押し付けられることとなる。こうして、蓋体７Ａが覆蓋位置において保持される。
【００８１】
一対の斜辺ｓに、一旦折り癖が付与されると、提手壁７６Ａにより箱本体２Ａが提げられていなくとも、即ち、上下方向の力Ｆ１、Ｆ２が作用していなくとも、一対の覆蓋壁７１Ａ、７３Ａは、付け根部分ｋを頂部とするように隆起した山型になる。これにより、組立状態の包装用箱１Ａにおいて、所定形状を安定的に維持しつつ箱形状を美しいものとすることができる。
【００８２】
従って、組立状態の包装用箱１Ａにおいて、一対の保持片７２Ａ、７４Ａが各第２、第４側壁３２Ａ、３４Ａの表面に押し付けられた状態で保持されることとなり、一対の覆蓋壁７１Ａ、７３Ａが覆蓋位置から箱本体２Ａの開口を露出する露出位置まで戻ってしまうことを防止できる。
【００８３】
また、提手壁７６Ａにより箱本体２Ａが提げられた際には、提手壁７６Ａの付け根部分ｋの両端部ハに負荷が集中することになるが、この負荷が、折り癖のついた各斜辺ｓに分散されることとなり、よって、当該付け根部分ｋにかかる負荷の低減が図られ、耐久性が向上する。
【００８４】
以上、本発明について、好ましい実施形態を挙げて説明したが、本発明は上記実施形態の構成に限定されるものではない。
【００８５】
上述した実施形態では、提手壁７６Ａにより箱本体２Ａが提げられ、一対の覆蓋壁７１Ａ、７３Ａの各付け根部分ｋに力Ｆ１が作用して、各第１、第３側壁３１Ａ、３３Ａ間の幅が狭められるように内向きの力Ｆ３、Ｆ４が生じることにより、一対の斜辺ｓに自然に折り癖が付けられているが、本発明はこれに限定されるものではない。予め、包装用箱１Ａの組立段階において、各覆蓋壁７１Ａ、７３Ａの各斜辺ｓを折り目として山折りに折って、折り癖を付与しておいてもよい。そうすることで、組立状態の包装用箱１Ａにおいて、所定形状を安定的に維持しつつ箱形状を、より一層美しいものとすることができる。
【００８６】
また、上述した実施形態では、底壁４Ａは、一対の補強壁４２Ａ、４４Ａと、一対の底壁本体４１Ａ、４３Ａと、一対の底壁貼付部４５Ａ、４５Ａと、を備えて構成されているが、本発明はこれに限定されるものではない。例えば、底壁４Ａは、周壁３Ａの下方側の開口を覆うことが可能な１枚以上の板（壁）から構成されていてもよい。
【００８７】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の包装用箱の展開体、及び、包装用箱の構成を具備する限り、勿論、本発明の範疇に含まれるものである。
【符号の説明】
【００８８】
１                  包装用箱の展開体
１Ａ                包装用箱
１０１              シート
３                  周板
３Ａ                周壁
４                  底板
４Ａ                底壁
３１                第１側板
３１Ａ              第１側壁
３２                第２側板
３２Ａ              第２側壁
３３                第３側板
３３Ａ              第３側壁
３４                第４側板
３４Ａ              第４側壁
７１、７３          一対の覆蓋板
７１Ａ、７３Ａ      一対の覆蓋壁
７２、７４          一対の折込板
７２Ａ、７４Ａ      一対の保持片
７６                提手板
７６Ａ              提手壁
ｋ                  付け根部分（連結部分）
ハ                  連結部分における両端部
ｆ、ｈ、ｉ、ｇ      各覆蓋板と各折込板との境界縁
ｓ、ｓ              一対の斜辺
【図１】
0006284835.tif 000002
【図２】
0006284835.tif 000003
【図３】
0006284835.tif 000004
【図４】
0006284835.tif 000005
【図５】
0006284835.tif 000006